(57)【要約】【課題】この発明は、簡単な方法により使用不能にできる査証用ＩＣタグを提供することを課題とする。【解決手段】査証用ＩＣタグ１は、ＬＳＩ４を接続したアンテナコイル２を有し、これらＬＳＩ４およびアンテナコイル２がカバーフィルム８によって被覆されている。アンテナコイル２の最内周の巻線には、第１のランド１１が内側に突出して設けられ、最外周の巻線には、第２のランド１２が外側に突出して設けられている。査証用ＩＣタグ１を使用不能にするとき、カバーフィルム８のマークＭを目安にしてステープルＳを打ち込み、アンテナコイル２を短絡させる。【選択図】      図１
2007114962.tif 000002
【特許請求の範囲】
【請求項１】
パスポートに貼り付ける査証用のＩＣタグであって、
基材フィルムと、
この基材フィルムに形成したアンテナコイルと、
このアンテナコイルの両端に接続されたＬＳＩと、
上記アンテナコイルおよびＬＳＩを形成した上記基材フィルムの表面を被覆したカバーフィルムと、
上記アンテナコイルを短絡するステープル位置を表示した上記カバーフィルム上のマークと、
を有することを特徴とする査証用ＩＣタグ。
【請求項２】
上記アンテナコイルは複数回巻かれて形成されており、最内周の巻線から内側に突出した第１のランドと、最外周の巻線から外側に突出した第２のランドを有することを特徴とする請求項１に記載の査証用ＩＣタグ。
【請求項３】
上記第１および第２のランドは、巻線と交差する方向に対向して形成されていることを特徴とする請求項２に記載の査証用ＩＣタグ。
【請求項４】
上記カバーフィルム上のマークは、上記２つのランドの上に形成されていることを特徴とする請求項３に記載の査証用ＩＣタグ。
【請求項５】
パスポートに貼り付ける査証用のＩＣタグであって、
基材フィルムと、
この基材フィルムに形成した複数巻のアンテナコイルと、
このアンテナコイルの両端に接続されたＬＳＩと、
上記アンテナコイルの最内周の巻線から内側に突出した第１のランドと、
この第１のランドに対して上記巻線と交差する方向に対向し、上記アンテナコイルの最外周の巻線から外側に突出した第２のランドと、
上記アンテナコイル、２つのランド、およびＬＳＩを形成した上記基材フィルムの表面を被覆したカバーフィルムと、
上記第１および第２のランドを短絡するステープル位置を表示した上記カバーフィルム上のマークと、
を有することを特徴とする査証用ＩＣタグ。
【請求項６】
パスポートに貼り付ける査証用のＩＣタグであって、
基材フィルムと、
この基材フィルムに形成した複数巻のアンテナコイルと、
このアンテナコイルの両端に接続されたＬＳＩと、
上記アンテナコイルの最内周の巻線から内側に突出した第１のランドと、
この第１のランドに対して上記巻線と交差する方向に対向し、上記アンテナコイルの最外周の巻線から外側に突出した第２のランドと、
上記アンテナコイル、２つのランド、およびＬＳＩを形成した上記基材フィルムの表面を被覆したカバーフィルムと、を有し、
上記カバーフィルムは、少なくとも上記第１および第２のランドを被覆した部位が透明に形成されていることを特徴とする査証用ＩＣタグ。
【発明の詳細な説明】
【技術分野】
【０００１】
この発明は、パスポートに添付する査証用のＩＣタグに関する。
【背景技術】
【０００２】
従来、パスポートに添付した査証は、使用後、例えば係員によって切り取られて使用不能となる。
【０００３】
近年、パスポートの査証として無線通信によってデータの読み書きが可能な査証用ＩＣタグの開発が進んでいる。この査証用ＩＣタグの運用においても、使用後に何等かの方法によって使用不能とする必要がある。特に、ＩＣタグを査証として利用する場合、有効期限が切れた使用済のＩＣタグがパスポートにそのまま添付されていると、使用可能なＩＣタグとの間で無線通信する際に、使用済のＩＣタグと交信してしまったり、混信してしまったりする可能性があり、正常な通信処理ができなくなる。
【０００４】
ＩＣタグなどの無線通信媒体を使用不能にする技術として、製造工程の途中の検査の結果、不良品と判断されたＩＣインレットを通信不可状態とする処理部を有するＩＣ製品検査装置が知られている（例えば、特許文献１参照。）。この特許文献には、処理部の実施例として、不良品と判断されたＩＣインレットのＩＣチップまたはアンテナを部分的に打ち抜く打抜手段について開示されている。
【０００５】
また、処理部の第１の変形例として、アンテナを切断するロータリーカッターなど切断手段について開示されており、第２の変形例として、ギャップを狭くした一対のローラの間を通過させてＩＣチップを破壊する破壊手段について開示されており、第３の変形例として、アンテナの線間を跨ぐように導電ペーストを塗布したり、アンテナの線間を跨ぐように金属箔を貼り付けたり、アンテナの線間を跨ぐようにステープルを打ち込んだりする短絡手段について開示されている。
【０００６】
しかし、上述した査証用ＩＣタグを使用不能とするため、上述した特許文献に開示された技術を利用すると、種々の不具合を生じる。例えば、査証用ＩＣタグを通信不能とするためＩＣチップやアンテナの一部を打ち抜こうとした場合、査証用ＩＣタグが冊子状のパスポートに添付されているため、パスポートの他の部位を打ち抜いてしまったり、未使用のＩＣタグを間違って打ち抜いてしまったりする可能性がある。
【０００７】
また、上述した第１の変形例のようにＩＣタグのアンテナを切断しようとした場合も同様に、パスポートを切断してしまったり、未使用のＩＣタグを間違って切断してしまったりする可能性がある。また、第２の変形例のようにＩＣチップを押し潰して破壊しようとした場合も、未使用のＩＣチップを破壊してしまう可能性がある。
【０００８】
さらに、第３の変形例のようにアンテナの線間を跨いで導電部材を接触させて短絡させる方法を採用しようとした場合、アンテナ線が媒体の表面に露出している必要があり、この方法を査証用ＩＣタグに適用することはできない。
【特許文献１】特開２００４−８６７８５号公報
【発明の開示】
【発明が解決しようとする課題】
【０００９】
この発明の目的は、簡単な方法により使用不能にできる査証用ＩＣタグを提供することにある。
【課題を解決するための手段】
【００１０】
上記目的を達成するため、パスポートに貼り付ける本発明の査証用ＩＣタグは、基材フィルムと、この基材フィルムに形成したアンテナコイルと、このアンテナコイルの両端に接続されたＬＳＩと、上記アンテナコイルおよびＬＳＩを形成した上記基材フィルムの表面を被覆したカバーフィルムと、上記アンテナコイルを短絡するステープル位置を表示した上記カバーフィルム上のマークと、を有する。
【００１１】
上記発明によると、有効期限の切れた査証用ＩＣタグを使用不能とする際に、カバーフィルム上に形成されたマークを目印にしてステープルを打ち込むだけで、アンテナコイルを短絡させることができ、査証用ＩＣタグを簡単に使用不能にできる。
【００１２】
また、パスポートに貼り付ける本発明の査証用ＩＣタグは、基材フィルムと、この基材フィルムに形成した複数巻のアンテナコイルと、このアンテナコイルの両端に接続されたＬＳＩと、上記アンテナコイルの最内周の巻線から内側に突出した第１のランドと、この第１のランドに対して上記巻線と交差する方向に対向し、上記アンテナコイルの最外周の巻線から外側に突出した第２のランドと、上記アンテナコイル、２つのランド、およびＬＳＩを形成した上記基材フィルムの表面を被覆したカバーフィルムと、上記第１および第２のランドを短絡するステープル位置を表示した上記カバーフィルム上のマークと、を有する。
【００１３】
上記発明によると、有効期限の切れた査証用ＩＣタグを使用不能とする際に、カバーフィルム上に形成されたマークを目印にしてステープルを打ち込むだけで、アンテナコイルの第１および第２のランドを短絡させることができ、査証用ＩＣタグを簡単に使用不能にできる。
【００１４】
更に、パスポートに貼り付ける本発明の査証用ＩＣタグは、基材フィルムと、この基材フィルムに形成した複数巻のアンテナコイルと、このアンテナコイルの両端に接続されたＬＳＩと、上記アンテナコイルの最内周の巻線から内側に突出した第１のランドと、この第１のランドに対して上記巻線と交差する方向に対向し、上記アンテナコイルの最外周の巻線から外側に突出した第２のランドと、上記アンテナコイル、２つのランド、およびＬＳＩを形成した上記基材フィルムの表面を被覆したカバーフィルムと、を有し、上記カバーフィルムは、少なくとも上記第１および第２のランドを被覆した部位が透明に形成されている。
【００１５】
上記発明によると、有効期限の切れた査証用ＩＣタグを使用不能とする際に、カバーフィルムを少なくとも部分的に透明にした部位を介して第１および第２のランドを視認し、これら第１および第２のランドを短絡させるようにステープルを打ち込むだけで、アンテナコイルを短絡させることができ、査証用ＩＣタグを簡単に使用不能にできる。
【発明の効果】
【００１６】
この発明の査証用ＩＣタグは、上記のような構成および作用を有しているので、簡単な方法により査証用ＩＣタグを使用不能にでき、有効期限の切れた査証用ＩＣタグと通信する不具合を防止でき、混信を防止できる。
【発明を実施するための最良の形態】
【００１７】
以下、図面を参照しながらこの発明の実施の形態について詳細に説明する。  
図１には、この発明の実施の形態に係る査証用ＩＣタグ１の平面図を示してあり、図２には、この査証用ＩＣタグのカバーフィルム８を取り除いた状態の平面図を示してある。なお、図２では、アンテナコイル２を短絡させるためのステープルＳを２つのランドに打ち込んだ状態を図示してある。この査証用ＩＣタグ１は、パスポートの頁に貼り付けられ、図示しないリーダライタとの間で無線通信を行なう。
【００１８】
すなわち、査証用ＩＣタグ１は、図示しないリーダライタとの間で無線通信するためのアンテナコイル２、およびＬＳＩ４を有する。アンテナコイル２は、例えば、厚さ０．０３８［ｍｍ］のポリエチレンテフタレート（ＰＥＴ）の基材フィルム６上に厚さ０．０３［ｍｍ］のパターンでアルミニウムにより形成される。本実施の形態では、アンテナコイル２は、３回巻に形成されている。
【００１９】
ＬＳＩ４は、いわゆるフリップチップ（Flip Chip）方式により基材フィルム６の表面に実装される。この際、ＬＳＩ４は、アンテナコイル２の両端に電気的に接続される。さらに、この基材フィルム６の表裏面がＰＥＴ−Ｇ非結晶性ポリエステル樹脂（非結晶性ＰＥＴコポリマー）シート（図示せず）で挟まれて、真空ホットプレスにて一体化される。アンテナコイル２およびＬＳＩを被覆した基材フィルム６の表面側のＰＥＴ−Ｇシートは、
本発明のカバーフィルム８として機能する。
【００２０】
また、３回巻にされたアンテナコイル２の最内周の巻線には、その内側に突出した第１のランド１１が形成されている。また、アンテナコイル２の最外周の巻線には、巻線と交差する方向に第１のランドに対向した第２のランド１２が外側に突出して形成されている。第１および第２のランドの大きさや位置は、後述するように第１および第２のランド１１、１２にステープルＳを打ち込んだとき、第１および第２のランド１１、１２を確実に短絡させることのできる値に設計されている。
【００２１】
もし、アンテナコイル２に第１および第２のランド１１、１２を設けない場合、巻線の幅が狭いアンテナコイル２をステープルＳによって短絡させることは困難であるが、不可能ではない。しかし、巻線の内側と外側に幅の広いランド１１、１２を設けることで、より確実にステープルＳによる短絡を可能にできる。
【００２２】
この査証用ＩＣタグ１は、図示しないリーダライタから供給される磁力線をアンテナコイル２を介して電力に変換し、この電力によってＬＳＩ４を動作させ、残りの電力でリーダライタにレスポンスを返す。このように、査証用ＩＣタグ１は、非接触によりリーダライタとの間でデータ通信を行なう。
【００２３】
パスポートに貼り付けた査証は、有効期限が経過したとき無効にされる。本実施の形態の査証用ＩＣタグ１は、パスポートの頁に貼り付けられて使用されるため、使用後に頁から容易に取り外すことができない。また、リーダライタとの間の通信距離を稼ぐため、アンテナコイル２の大きさをできるだけ大きくする必要があり、査証用ＩＣタグの大きさは頁いっぱいの大きさとなっている。このため、査証用ＩＣタグ１を無効にするには、その通信機能を不能にする処理が必要となる。
【００２４】
本実施の形態では、ステープルＳによりアンテナコイル２を短絡させることで、有効期限切れの査証用ＩＣタグ１を無効にするようにした。つまり、図１に示すように、第１および第２のランド１１、１２の上のカバーフィルム８にステープルＳを打ち込む目安となるマークＭを印刷し、このマークＭの位置でステープルＳを打ち込むよう案内を印刷した。
【００２５】
これにより、オペレータは、マークＭを目安にして、図３に示すようにステープルＳを査証用ＩＣタグ１に打ち込むだけで、アンテナコイル２を第１および第２のランド１１、１２間で容易に短絡させることができ、当該査証用ＩＣタグ１を無効にできる。もし、マークＭが無い場合、ステープルＳを打ち込む位置が査証用ＩＣタグ１の外観から判断することができないため、アンテナコイル２を短絡させることはできない。
【００２６】
以上のように、本実施の形態によると、パスポートに貼り付けられた有効期限切れの査証用ＩＣタグ１に対し、マークＭを目安にしてステープルＳを打ち込むだけで、当該査証用ＩＣタグ１を容易に使用不能にでき、有効期限切れの査証用ＩＣタグとの間で間違って通信を確立してしまう不具合を防止できる。
【００２７】
なお、この発明は、上述した実施の形態そのままに限定されるものではなく、実施段階ではその要旨を逸脱しない範囲で構成要素を変形して具体化できる。また、上述した実施の形態に開示されている複数の構成要素の適宜な組み合わせにより種々の発明を形成できる。例えば、上述した実施の形態に示される全構成要素から幾つかの構成要素を削除しても良い。
【００２８】
例えば、上述した実施の形態では、ステープルＳを打ち込む目安としてカバーフィルム８にマークＭを印刷した場合について説明したが、これに限らず、第１および第２のランド１１、１２を被覆するカバーフィルム８の部位を少なくとも部分的に透明に形成しても良い。これにより、オペレータは、カバーフィルム８の透明な部位を介して第１および第２のランド１１、１２を視認し、これら第１および第２のランド１１、１２を短絡させるようにステープルＳを打ち込むだけで、アンテナコイル２を短絡させることができ、査証用ＩＣタグ１を簡単に使用不能にできる。
【図面の簡単な説明】
【００２９】
【図１】この発明の実施の形態に係る査証用ＩＣタグの外観を示す平面図。
【図２】図１の査証用ＩＣタグのカバーフィルムを取り除いた状態を示す平面図。
【図３】査証用ＩＣタグにステープルを打ち込んだ状態を示す断面図。
【符号の説明】
【００３０】
１…査証用ＩＣタグ、２…アンテナコイル、４…ＬＳＩ、６…基材フィルム、８…カバーフィルム、１１…第１のランド、１２…第２のランド、Ｍ…マーク、Ｓ…ステープル。
【図１】
2007114962.tif 000003
【図２】
2007114962.tif 000004
【図３】
2007114962.tif 000005